(57)【特許請求の範囲】
【請求項１】
密閉構造の筐体と、当該筐体内部を冷却するファンとを備えた電子機器の冷却構造において、
発熱部品を実装する異なる長さの２枚の回路基板を有し、前記２枚の回路基板の発熱部品実装面が互いに対向すると共に、ダクトの一部となるよう配置し、前記ファンから前記ダクトの中に冷却風を送風する電子機器の冷却構造であって、
前記ファンからの冷却風が前記２枚の回路基板の内の長さが短い回路基板に実装された発熱部品に直接当たるように設けられた風穴部分に前記ファンを傾斜させて設置し、前記２枚の回路基板の内の長さが長い回路基板の端面付近に設けられた風穴から前記ファンにより引き込まれた対流により前記長さが長い回路基板の端面付近に実装された発熱部品を冷却することを特徴とする電子機器の冷却構造。
【請求項２】
請求項１記載の電子機器の冷却構造において、前記ファンからの送風ルートにガイドを設けることにより、前記ファンの送風のショートパスを防止し、発熱部品によって温度上昇した空気を前記筐体に熱伝達した後、前記ファンにもどすようにすることを特徴とする電子機器の冷却構造。
【発明の詳細な説明】
【技術分野】
【０００１】
本発明は、内部に電力増幅部、電源ユニットおよび電子部品を実装した複数のプリント基板が収納された電子機器の冷却構造に関するものである。
【背景技術】
【０００２】
従来、ＦＰＵ（Field Pickup Unit）等の放送用無線中継装置は屋外での使用が大半であるため防雨構造が必須であり、密閉構造を採用してきた。また、可搬型であるがゆえに小型軽量化が求められており、また、近年は他の電子機器と同様に電子回路のディジタル化が進み、多機能化および高性能化が図られている。
当然のことながら、機器の消費電力が増加した上で密閉筐体を小型化するため、内部温度上昇が高くなり、電子機器の寿命低下および性能劣化を招く要因となっている。このような背景のもと、ＦＰＵ等の放送用無線中継装置には高効率な放熱構造を適用する必要がある。
【０００３】
そこで、従来技術の一例として、特許文献１には、密閉筐体の外部に強制空冷を行うための冷却装置を取り付けた電子機器が開示されている。
【先行技術文献】
【特許文献】
【０００４】
【特許文献１】特開２００７−０９６２３０号公報
【発明の概要】
【発明が解決しようとする課題】
【０００５】
特許文献１における放熱構造では、電子機器１の筐体内部に配置された電力増幅部や電源ユニット等の発熱部品３から発生した熱は、筐体下部に位置するフィン型ヒートシンク４を介して筐体外部へ高効率に放熱されるが、筐体カバー２内に実装された電子回路部からの発熱は筐体内部での自然対流のみで放熱するしかない。
しかし、背景技術で述べたように、近年はディジタル化の促進によりプリント基板上に搭載した集積回路からの発熱量が多くなってきたことと、筐体の小型化によりフィン型ヒートシンク４の上面に電子部品を密着取り付けするスペースが狭くなっているため、フィン型ヒートシンク４からの放熱だけでは密閉筐体内で発熱する熱量全体を高効率に筐体外部へ放熱することができないという問題があった。    
【０００６】
本発明は、このような従来の事情に鑑みなされたものであり、密閉構造の電子機器筐体内で発生する熱量全体を高効率に筐体外部へ放熱する電子機器の冷却構造を提供することを目的とする。
【課題を解決するための手段】
【０００７】
上述した課題を解決し、目的を達成するため、本発明は、密閉構造の筐体と、当該筐体内部を冷却するファンとを備えた電子機器の冷却構造において、発熱部品を実装する異なる長さの２枚の回路基板を有し、前記２枚の回路基板の発熱部品実装面が互いに対向すると共に、ダクトの一部となるよう配置し、前記ファンから前記ダクトの中に冷却風を送風する電子機器の冷却構造であって、前記ファンからの冷却風が前記２枚の回路基板の内の長さが短い回路基板に実装された発熱部品に直接当たるように設けられた風穴部分に前記ファンを傾斜させて設置することを特徴とする。
【０００８】
上述した課題を解決し、目的を達成するため、本発明は、更に、前記２枚の回路基板の内の長さが長い回路基板の端面付近に設けられた風穴から前記ファンにより引き込まれた対流により前記長さが長い回路基板の端面付近に実装された発熱部品を冷却することを特徴とする。
【０００９】
上述した課題を解決し、目的を達成するため、本発明は、更に、前記ファンからの送風ルートにガイドを設けることにより、前記ファンの送風のショートパスを防止し、発熱部品によって温度上昇した空気を前記筐体に熱伝達した後、前記ファンにもどすようにすることを特徴とする。
【発明の効果】
【００１０】
本発明によれば、対向配置した発熱部品実装基板間にファンから送風することにより、冷却風の熱伝達量を増加させることができるという効果がある。また、最も発熱する部品にファンから直接冷却風をぶつけることにより、冷却効果が増大し、発熱部品の温度上昇を抑えることができるという効果がある。また、ガイド板を用いて空気の漏れを防ぐことにより、ファンからの送風のショートパスが防止でき、温度上昇した空気を筐体に熱伝達させた後、ファンにもどすことによって、内部の温度上昇を抑制することができるという効果がある。
【図面の簡単な説明】
【００１１】
【図１】本発明の実施の形態に係る電子機器の冷却構造を採用した放送用無線中継装置の垂直断面図である。
【図２】図１のＡ部詳細図である。
【図３】本発明の実施の形態に係る電子機器の冷却構造を採用した放送用無線中継装置の水平断面図である。
【図４】本発明の実施の形態に係る電子機器の冷却構造を採用した放送用無線中継装置の内部基板実装箇所の分解斜視図である。
【図５】本発明の実施の形態に係る電子機器の冷却構造を採用した放送用無線中継装置の送信・受信系統図である。
【図６】本発明の実施の形態に係る電子機器の冷却構造を採用した放送用無線中継装置の制御部と高周波部を一体化した場合の送信・受信系統図である。
【発明を実施するための形態】
【００１２】
以下に、本発明の実施の形態に係る電子機器の冷却構造を採用した放送用無線中継装置について、図１から図６を参照しながら説明する。
放送用無線中継装置は、テレビジョン放送素材をマイクロ波回線で伝送するものである。一般的には、図５に示すように、送信制御部１０１と送信高周波部１０２から成る送信側装置と、受信高周波部２０１と受信制御部２０２から成る受信側装置で構成され、送信高周波部１０２と受信高周波部２０１との間でディジタル信号をマイクロ波で搬送して送受信を行う。また、送信高周波部１０２及び受信高周波部２０１は、中継の際に屋外で使用することが多いため、筐体構造はそれぞれ防滴構造となっている。
また、高周波部と制御部を一体化し、高周波部内部に制御機能（画像/音声信号圧縮機能、ディジタル変調機能）を備えた放送用無線中継装置がある。このような放送用無線中継装置は、特に、ヘリコプター等の移動体に搭載して使用される。また、図６に示すように、送信装置１００と受信装置２００で構成され、送信装置１００と受信装置２００との間でディジタル信号をマイクロ波で搬送し送受信が行われる。
【００１３】
そこで、本発明の実施の形態に係る電子機器の冷却構造を採用した放送用無線中継装置が、上記した高周波部と制御部を一体化した送信装置１００である場合について、図１から図４を参照しながら説明する。
図１は、本発明の実施の形態に係る電子機器の冷却構造を採用した放送用無線中継装置の垂直断面図であり、図２は、図１のＡ部詳細図である。また、図３は、本発明の実施の形態に係る電子機器の冷却構造を採用した放送用無線中継装置の水平断面図である。また、図４は、本発明の実施の形態に係る電子機器の冷却構造を採用した放送用無線中継装置の内部基板実装箇所の分解斜視図である。
【００１４】
放送用無線中継装置の内部には、マイクロ波周波数を発生する部分と搬送電力を増幅する電力増幅部（以下、ＰＡという）１４及びＤＣ電源（以下、ＰＳという）１５があり、ＰＡ１４とＰＳ１５は送信出力に応じて発熱量が増加する。また、放送用無線中継装置は屋外で使用することが多く、筐体１の構造は防滴仕様の密閉構造である。そのため、図１に示すように、ＰＡ１４及びＰＳ１５で発生した熱は筐体１の底部に配置した放熱器１３から放熱している。ＰＡ１４内部の発熱デバイスの温度上昇をメーカの保証温度内に抑えるため、放熱器１３の横に遠心ファン１２を設け、遠心ファン１２から放熱器１３に形成されたフィンに沿って冷却風を送り、放熱器１３の熱抵抗を下げるようにしている。
【００１５】
一方、放送用無線中継装置は可搬型のため、装置の容積が小さく、ＰＡ１４やＰＳ１５以外の発熱デバイスから発生する熱を効率よく筐体１から放熱させるために、装置内部に軸流ファン９を搭載し内部の空気を攪拌させ、発熱デバイスの温度上昇を下げる必要がある。
そこで、矢印を使って空気の流れを示すと、図１、図２のように、軸流ファン９から放出された空気は基板取付金具２に設けた風穴ｂ２１より侵入し、発熱部品ｃ７に接合された放熱フィン８に沿って矢印２４のように流れる。そのときの風圧によって、メイン基板４に実装された発熱部品ｂ６付近の空気が引っ張られて、風穴ａ２０より空気が取り込まれ、対流が生じて発熱部品ｂ６が冷却されるようになる。  
これらの空気はメイン基板４とエンコーダ基板３の間を通り、メイン基板４、エンコーダ基板３の発熱部品ａ５等の熱を吸収し暖められ、基板取付金具２に設けた風穴ｄ２３より排出され、表示制御基板１１に突き当たる。
【００１６】
次に、図３に示すように、表示制御基板１１に突き当たった空気は筐体１の側面左右方向二手に分かれ、マザー基板１６と筐体側面部ａ１８との間、カゼガイドｂ１７と筐体側面部ｂ１９との間を通過する。その際に、暖められた空気は筐体側面部ａ１８または筐体側面部ｂ１９を介して筐体外部と熱交換し、冷却される。冷却された空気は再び軸流ファン９に吸入される。このような空気の循環を繰り返すことによって効率良く筐体内部の冷却が行われる。
【００１７】
ここで、図４を基に、放送用無線中継装置の内部基板実装箇所の構成について説明する。
筐体１に固定された基板取付金具２にマザー基板１６をネジａ２５にて取り付け、これにメイン基板４、エンコーダ基板３をガイドレールに沿ってスライドし、マザー基板１６のコネクタ２７に嵌合させる。その後、カゼガイドｂ１７を基板取付金具２にネジｂ２６にて取付ける。これにより、上面メイン基板４、下面エンコーダ基板３、側面カゼガイドｂ１７、マザー基板１６、入口風穴ｂ２１、出口風穴ｄ２３としたダクト構造となる。また、メイン基板４、エンコーダ基板３の部品面を対向するように取付けることで、ダクト構造内部に発熱部品が集中し、そこに冷却風を流すことで放熱効率を向上させる構造としている。
【００１８】
以上説明したように、本発明により、対向配置した発熱部品実装基板間にファンから送風することにより、冷却風の熱伝達量を増加させることができる。また、最も発熱する部品にファンから直接冷却風をぶつけることにより、冷却効果が増大し、発熱部品の温度上昇を抑えることができる。また、ガイド板を用いて空気の漏れを防ぐことにより、ファンからの送風のショートパスが防止でき、温度上昇した空気を筐体に熱伝達させた後、ファンにもどすことによって、内部の温度上昇を抑制することができる。
【符号の説明】
【００１９】
１：筐体、２：基板取付金具、３：エンコーダ基板、４：メイン基板、５：発熱部品ａ、６：発熱部品ｂ、７：発熱部品ｃ、８：放熱フィン、９：軸流ファン、１０：カゼガイドａ、１１：表示制御基板、１２：遠心ファン、１３：放熱器、１４：ＰＡ、１５：ＰＳ、１６：マザー基板、１７：カゼガイドｂ、１８：筐体側面部ａ、１９：筐体側面部ｂ、２０：風穴ａ、２１：風穴ｂ、２２：風穴ｃ、２３：風穴ｄ、２４：空気の流れ、２５：ネジａ、２６：ネジｂ、２７：コネクタ、１００：送信装置、１０１：送信制御部、１０２：送信高周波部、２００：受信装置、２０１：受信高周波部、２０２：受信制御部。
【図１】
0005594884.tif 000002
【図２】
0005594884.tif 000003
【図３】
0005594884.tif 000004
【図４】
0005594884.tif 000005
【図５】
0005594884.tif 000006
【図６】
0005594884.tif 000007